(57)【要約】【課題】足場の組立てをなくし、分解して構成部材を搬入して簡単に組み立て、かつ移動可能として使用できる高所用作業台を提供すること。【解決手段】作業者と作業具等が乗る作業台１と、この作業台１を載置支持する台枠２０と、この台枠２０の四隅に、それぞれ揺動可能にして、かつ伸縮可能に設けられる移動支持脚４２と、前記台枠２０に設けられる伸縮可能な梯子５６を備え、前記作業台１、台枠２０、移動支持脚４２、梯子５６がそれぞれ別体として搬送され、室内等の作業現場においてこれら構成部材が組み立てられて室内天井等に施工されているアスベストの除去作業等の高所作業の作業台として用いられる。【選択図】    図１
2008180034.tif 000002
【特許請求の範囲】
【請求項１】
室内天井等に施工されているアスベストの除去作業等の高所作業に用いられる組立て移動式の作業台であって、
作業者と作業具等が乗る作業台（１）と、
この作業台（１）を載置支持する台枠（２０）と、
この台枠（２０）の四隅に、それぞれ揺動可能にして、かつ伸縮可能に設けられる移動支持脚（４２）と、
前記台枠（２０）に設けられる伸縮可能な梯子（５６）
を備え、
前記作業台（１）、台枠（２０）、移動支持脚（４２）、梯子（５６）がそれぞれ別体として搬送され、室内等の作業現場においてこれら構成部材が組み立てられて使用される構成を特徴とする組立移動式の高所用作業台。
【請求項２】
室内天井等に施工されているアスベストの除去作業等の高所作業に用いられる組立て移動式の作業台であって、
作業者と作業具等が乗る作業台（１）と、
この作業台（１）を載置支持する台枠（２０）と、
この台枠（２０）の四隅に、それぞれ揺動可能にして、かつ伸縮可能に設けられる移動支持脚（４２）と、
前記台枠（２０）に設けられる伸縮可能な梯子（５６）および補強支持脚（６９）
を備え、
前記作業台（１）、台枠（２０）、移動支持脚（４２）、梯子（５６）および補強支持脚(６９)がそれぞれ別体として搬送され、室内等の作業現場においてこれら構成部材が組み立てられて使用される構成を特徴とする組立移動式の高所用作業台。
【請求項３】
前記作業台（１）は、前記作業具等を出し入れするための、開閉蓋（１０）付きの開口部（６）を有し、
前記台枠（２０）は、基枠（２２）と、この基枠（２２）の４枚の枠板（２３）、（２４）の内側面に、それぞれ回動金具（２５）を介して内向水平な倒伏状態にして、かつ略垂直な起立状態になるように揺動可能に設けられ、前記作業台（１）が載置されて定置支持される４枚の載置支持用枠板（２６）、（２７）と、前記基枠（２２）の四隅部下方にそれぞれ突設された前記移動支持脚（４２）の取付部（３６）と、前記基枠（２２）の前記枠板（２３）、（２４）のいずれか一方の相対する枠板の内側面下方にそれぞれ突設された前記梯子（５６）の取付部（３９）を有し、
前記伸縮可能な移動支持脚（４２）は、太いパイプ状の脚（４３）と細いパイプ状の脚（４４）を含む複数段の構成であって、上下の前記細い脚（４４）が上下に伸縮可能な仕組みとなっており、最下段の脚下端には、移動用のキャスター（４９）が設けられ、
前記伸縮可能な梯子（５６）は、一対の縦桟とこの縦桟間に設けられた複数の横桟から構成の複数の梯子ユニット（５９）、（６２）、（６３）が上下に伸びて伸縮可能となっている構成を特徴とする請求項１の組立移動式の高所用作業台。
【請求項４】
前記作業台（１）は、前記作業具等を出し入れするための、開閉蓋（１０）付きの開口部（６）を有し、
前記台枠（２０）は、基枠（２２）と、この基枠（２２）の４枚の枠板（２３）、（２４）の内側面に、それぞれ回動金具（２５）を介して内向水平な倒伏状態にして、かつ略垂直な起立状態になるように揺動可能に設けられ、前記作業台（１）が載置されて定置支持される４枚の載置支持用枠板（２６）、（２７）と、前記基枠（２２）の四隅部下方にそれぞれ突設された前記移動支持脚（４２）の取付部（３６）と、前記基枠（２２）の前記枠板（２３）、（２４）のいずれか一方の相対する枠板の内側面下方にそれぞれ突設された前記梯子（５６）の取付部（３９）および前記補強支持脚（６９）の取付部（４１）を有し、
前記伸縮可能な移動支持脚（４２）は、太いパイプ状の脚（４３）と細いパイプ状の脚（４４）を含む複数段の構成であって、上下の前記細い脚（４４）が上下に伸縮可能な仕組みとなっており、最下段の脚下端には、移動用のキャスター（４９）が設けられ、
前記伸縮可能な梯子（５６）は、一対の縦桟とこの縦桟間に設けられた複数の横桟から構成の複数の梯子ユニット（５９）、（６２）、（６３）が上下に伸びて伸縮可能となっており、
前記伸縮可能な補強支持脚（６９）は、太いパイプ状の脚（７０）と細いパイプ状の脚（７１）を含む複数段の構成であって、上下の前記細い脚（７１）が上下に伸縮可能な仕組みとなっており、最下段の脚下端には、滑り止めパット（７６）が設けられている構成を特徴とする請求項２の組立移動式の高所用作業台。
【発明の詳細な説明】
【技術分野】
【０００１】
本発明は、例えば、倉庫内や室内天井等に施工されているアスベストの除去作業等の高所作業に用いられる組立て移動式の作業台に関するものである。
【背景技術】
【０００２】
本発明者等は、先に、倉庫内の天井や壁等に施工されているアスベストに、固化液を噴霧吹き付けしてアスベストを固化させ、次いで、このアスベストを大気中に飛散させることなく除去してアスベストを処理する技術を開発し、特許を取得した（特許第３８３１７４９号、特許第３８８４０５９号）。
【０００３】
これら特許に係るアスベストの処理においては、高い天井や壁に施工されているアスベスト層に対し、外部より、アスベストを硬化させるための固化液を噴霧して吹き付け含浸させ、次いで、大気中に飛散しないように固化処理されたアスベストを真空吸塵装置等により除去処理する。
【０００４】
ところで、これらの吹き付け作業や除去作業は、アスベストの施工場所が高所であるため、大変な作業であって、従来においては、作業現場において作業用の足場をパイプ材等で組み、この足場上に用具等を載せて作業しなければならなかった。
【０００５】
しかしながら、足場を組むとなると、多くの足場部材の搬入・搬出、組立て作業の所要時間、作業労力、費用等が増大して、アスベストの処理コストが高くなり、折角の特許に係る技術が広く有効に活用されないことにもなりかねない。
【０００６】
そこで、作業現場での足場の組立てをなくし、現場において高所での作業台を簡易に組み立てて、先の特許にかかるアスベストの処理作業を容易にするため、本発明を完成したものである。
【０００７】
特許文献１には、移動足場基体と、これに昇降自在に装着される昇降作業床体と、この昇降作業床体を昇降させる昇降手段を備えた昇降式移動足場が開示されている。
【０００８】
しかしながら、この特許文献１のものは、折り畳みは可能であるものの、構成部材は分解・組立式とはなっていない。従って、全体重量が重くなり、かつ嵩張って、搬入・搬出等の取り扱いにおいて労力を要し、大変である。
【０００９】
また、昇降作業床を昇降させる手段として、手動式或いは電動式の油圧ジャッキと、滑車、ワイヤーが用いられているため、構造的に複雑であるばかりか、重量的にも増大化して、取り扱い上において難がある。
【００１０】
特許文献２には、床板をウインチと滑車を利用した手動式伸縮装置により一人で昇降させる作業床が開示されている。
【００１１】
しかしながら、この特許文献２のものは、前記特許文献１のものと同様に、折り畳みは可能であるものの、構成部材は分解・組立式とはなっていない。従って、全体重量が重くなって、搬入・搬出や作業上において相当の労力を要するものである。
【００１２】
このように、特許文献１、２のいずれにおいても、分解・組立式でないため、全体重量が重くなり、かつ嵩張って、搬入・搬出や作業上において相当の労力を要するものである。
【特許文献１】実開平７−１１６４２号公報
【特許文献２】実用新案登録第３０３３４２０号公報
【発明の開示】
【発明が解決しようとする課題】
【００１３】
本発明が解決しようとする問題点は、作業現場で足場を組立てなければならないために、時間的、コスト的に負担が増大し、また、足場の作業現場への搬入、作業現場からの搬出等の取り扱い上において相当の労力を要するという点である。
【００１４】
従って、本発明の目的は、作業現場での足場の組立てをなくし、分解して構成部材を搬入・搬出するため、重量的に少ない労力ですみ、また、組立ても簡単で、全体構造も単純で安価に製作できる組立移動式の高所用作業台を提供することにある。
【００１５】
この目的のため、本発明の請求項１に記載の組立移動式の高所用作業台は、室内天井等に施工されているアスベストの除去作業等の高所作業に用いられる組立て移動式の作業台であって、
作業者と作業具等が乗る作業台１と、
この作業台１を載置支持する台枠２０と、
この台枠２０の四隅に、それぞれ揺動可能にして、かつ伸縮可能に設けられる移動支持脚４２と、
前記台枠２０に設けられる伸縮可能な梯子５６
を備え、
前記作業台１、台枠２０、移動支持脚４２、梯子５６がそれぞれ別体として搬送され、室内等の作業現場においてこれら構成部材が組み立てられて使用される構成を特徴とするものである。
【００１６】
本発明の請求項２に記載の組立移動式の高所用作業台は、室内天井等に施工されているアスベストの除去作業等の高所作業に用いられる組立て移動式の作業台であって、
作業者と作業具等が乗る作業台１と、
この作業台１を載置支持する台枠２０と、
この台枠２０の四隅に、それぞれ揺動可能にして、かつ伸縮可能に設けられる移動支持脚４２と、
前記台枠２０に設けられる伸縮可能な梯子５６および補強支持脚６９
を備え、
前記作業台１、台枠２０、移動支持脚４２、梯子５６および補強支持脚６９がそれぞれ別体として搬送され、室内等の作業現場においてこれら構成部材が組み立てられて使用される構成を特徴とするものである。
【００１７】
本発明の請求項３に記載の組立移動式の高所用作業台は、前記作業台１は、前記作業具等を出し入れするための、開閉蓋１０付きの開口部６を有し、
前記台枠２０は、基枠２２と、この基枠２２の４枚の枠板２３、２４の内側面に、それぞれ回動金具２５を介して内向水平な倒伏状態にして、かつ略垂直な起立状態になるように揺動可能に設けられ、前記作業台１が載置されて定置支持される４枚の載置支持用枠板２６、２７と、前記基枠２２の四隅部下方にそれぞれ突設された前記移動支持脚４２の取付部３６と、前記基枠２２の前記枠板２３、２４のいずれか一方の相対する枠板の内側面下方にそれぞれ突設された前記梯子５６の取付部３９を有し、
前記伸縮可能な移動支持脚４２は、太いパイプ状の脚４３と細いパイプ状の脚４４を含む複数段の構成であって、上下の前記細い脚４４が上下に伸縮可能な仕組みとなっており、最下段の脚下端には、移動用のキャスター４９が設けられ、
前記伸縮可能な梯子５６は、一対の縦桟とこの縦桟間に設けられた複数の横桟から構成の複数の梯子ユニット５９、６２、６３が上下に伸びて伸縮可能となっている構成を特徴とするものである。
【００１８】
本発明の請求項４に記載の組立移動式の高所用作業台は、前記作業台１は、前記作業具等を出し入れするための、開閉蓋１０付きの開口部６を有し、
前記台枠２０は、基枠２２と、この基枠２２の４枚の枠板２３、２４の内側面に、それぞれ回動金具２５を介して内向水平な倒伏状態にして、かつ略垂直な起立状態になるように揺動可能に設けられ、前記作業台１が載置されて定置支持される４枚の載置支持用枠板２６、２７と、前記基枠２２の四隅部下方にそれぞれ突設された前記移動支持脚４２の取付部３６と、前記基枠２２の前記枠板２３、２４のいずれか一方の相対する枠板の内側面下方にそれぞれ突設された前記梯子５６の取付部３９および前記補強支持脚６９の取付部４１を有し、
前記伸縮可能な移動支持脚４２は、太いパイプ状の脚４３と細いパイプ状の脚４４を含む複数段の構成であって、上下の前記細い脚４４が上下に伸縮可能な仕組みとなっており、最下段の脚下端には、移動用のキャスター４９が設けられ、
前記伸縮可能な梯子５６は、一対の縦桟とこの縦桟間に設けられた複数の横桟から構成の複数の梯子ユニット５９、６２、６３が上下に伸びて伸縮可能となっており、
前記伸縮可能な補強支持脚６９は、太いパイプ状の脚７０と細いパイプ状の脚７１を含む複数段の構成であって、上下の前記細い脚７１が上下に伸縮可能な仕組みとなっており、最下段の脚下端には、滑り止めパット７６が設けられている構成を特徴とするものである。
【発明の効果】
【００１９】
請求項１〜４に記載の発明によれば、高所用作業台を構成する各部材は、分解・組立式であるから、従来のように作業現場での足場の組立てを必要とせず、分解状態で作業現場に車両等で搬入し、現場で組立てて使用されるものであるから、各構成部材は軽量となって搬入等の取り扱いにおいて容易である。
【００２０】
また、各構成部材は、上下に伸縮可能であるから、作業天井等の高さに対応して作業台の高さを任意に調整設定することができる。
【００２１】
また、移動式となっているから、作業能率が向上し、また、全体的に単純構造であって分解・組立が容易であり、安価に製作できる。
【発明を実施するための最良の形態】
【００２２】
以下に図面を参照して、本願に係る発明を実施するための最良の形態についてその作用と共に説明する。
【００２３】
図１は、本発明に係る組立移動式の高所用作業台の一例を示す略全体の線図的構成図、図２は、図１の２方向から見た線図的構成図、図３は、図１の３方向から見た線図的構成図で、これら図において、本高所用作業台は、作業者と作業具等が乗る作業台と、この作業台を載置支持する台枠と、この台枠の四隅に、それぞれ揺動可能にして、かつ伸縮可能に設けられた移動支持脚と、前記台枠に設けられた伸縮可能な梯子および補強支持脚を備えている。
【００２４】
作業台１は、図４および図５に例示されているように、四角形状の台板２を主体とし、その四辺下面の周囲には、薄い板厚部３と厚い板厚部４を介して段部５が形成され、作業板２の略中央部には、作業具等を出し入れするための開口部６が設けられるとともに、この開口部６の一辺にはＬ形状段部７が形成され、蝶番等の金具８を介して設けられ、かつ開口部６のＬ形状段部７と一体的に係合するＬ形状段部９を有する開閉蓋１０によって開閉できるようになっている。
【００２５】
台枠２０は、図６〜図１３に例示されているように、一対の一方の枠板２３および他方の枠板２４からなる全体が平面視矩形状にして、かつ上下面２１が開口の基枠２２と、４枚の枠板２３、２４の上部内側面に、それぞれ回動金具２５を介して内向水平な倒伏状態に揺動可能にして、かつ略垂直な起立状態に揺動可能に設けられた長短４枚の載置支持用枠板２６、２７を有している。
【００２６】
長短４枚の載置支持用枠板２６、２７の上部内側面には、それぞれＬ形状段部２８、２９が形成され、図９に示されているように、想像線で示された作業板２の段部５と、起立状態で矩形状に形成された４枚の載置支持用枠板２６、２７のＬ形状段部２８、２９との係合によって台板２が載置されて支持されるようになっている。
【００２７】
なお、作業台１と台枠２０は、定形的に構成されているが、これに限定されず、特に図示しないが、一定方向に伸縮可能なるように構成してもよい。
【００２８】
４枚の載置支持用枠板２６、２７を各枠板２３、２４に取り付けている回動金具２５は、図１０に例示されているように、各枠板２３、２４の上部内側面に取り付けられた雄金具３０と、各載置支持用枠板２６、２７の下部内側面に取り付けられた雌金具３１から構成され、載置支持用枠板２６、２７が内側に倒されると、載置支持用枠板２６、２７は雄金具３０の支持ピン３２を支点とし、かつ雄金具３０の頭部と共に弾性的に内側に倒されて内向き水平状態が保持され、また、各載置支持用枠板２６、２７が外側に起こされると、雄金具３０と弾性的に係合している雌金具３１の復帰によって各載置支持用枠板２６、２７は略垂直な起立状態に保持されるようになっている。
【００２９】
なお、各載置支持用枠板２６、２７が折り畳まれる場合、載置支持用枠板２６同志、または２７同志は互いに重なり合わないが、載置支持用枠板２６と２７は互いに重なり合うことになるので、いずれか一方の載置支持用枠板２６（または２７）の取り付け位置を上下いずれかにずらして取り付け、かつその大きさは、起立状態となったとき４枚の載置支持用枠板２６、２７により同じ高さの矩形状枠体が形成されるように設定される。
【００３０】
このようにして、各載置支持用枠板２６、２７は、基枠２２の内側に水平状態を保持して折り畳まれ、不使用時や搬送時には全体がコンパクト化されるように構成されており、使用時においては、元に起こして矩形状の枠として使用されるが、この場合、起立状に起こされた各載置支持用枠板２６、２７が完全な枠を形成するようにするため、図１１〜図１３に例示されているように、それぞれの隣り合う載置支持用枠板２６、２７は、その四つの当接隅部の外側面において、載置支持用枠板２６、２７に突設のピン３３にＬ形止め金具３４の各Ｕ溝３５が係合されることによって固定的に止められるようになっている。  
【００３１】
なお、隣り合う載置支持用枠板２６、２７を固定的に止める手段は、図示例示のピン３３とＬ形止め金具３４に限定されず、他の例えば、二つの部材によるフック構造としてもよい。
【００３２】
図７および図８に例示されているように、基枠２２を形成する枠板２３、２４が当接する四隅部の下方には、それぞれ後述する伸縮可能な移動支持脚を取り付けるための挿通穴３６を有する取付部３７が突設され、また、一対の枠板２３の内側面下方には、それぞれ一対の、後述する伸縮可能な梯子を取り付けるための挿通穴３８を有する取付部３９、および伸縮可能な補強支持脚を取り付けるための挿通穴４０を有する取付部４１が突設されている。
【００３３】
台枠２０の四隅部の取付部３７に、それぞれ揺動可能に取り付けられる伸縮可能な移動支持脚４２は、図１４〜図１６に例示されているように、三段構成になっており、二段目の太いパイプ状の脚４３から上下にそれぞれ細いパイプ状の脚４４が上下に伸びて伸縮できる仕組みになっている。
【００３４】
三段の脚４３、４４には、それぞれ適宜の等間隔で複数の止め具挿通穴４５が明けられ、かつ外面には穴番号４６が、例えば、「１」、「２」のような数字をもって表示されている。
【００３５】
最上段の脚４４の上部外側面には、上方にやや延び、かつ止め具挿通穴４７を有する一対の取付片４８が突設され、また、最下段の脚４４の下端には移動用のキャスター４９が設けられるとともに、脚４４の下部から分岐した分岐パイプ５０の下端にはジャッキ式の滑り止めパット５１が設けられている。
【００３６】
そして、三段の脚４３、４４は、設定高さに対応して、それぞれの穴番号４６を対応させて同軸状に挿入されて連結金具５２、例えばそれぞれの止め具挿通穴４５の適合穴に挿通のボルト５３とこれにワッシャー５４を介して締着の蝶ナット５５により一体的に連結され、最上段脚４４の取付片４８が台枠２０における取付部３６に外挿されて、穴３６、４７との適合穴に挿通のボルト、ワッシャー、ナット（図示を省略し、図１４において単に略図的に鎖線であらわし、止め金具として５２の数字を付してある。）により揺動可能に取り付けられる。
【００３７】
なお、移動支持脚４２は、三段構成とされているが、これに限定されず、少なくとも二段以上の複数段構成であってもよいことは勿論である。
【００３８】
また、移動支持脚４２の構成部材は、ハイプ状であれば、断面円形であってもよく、また、角形であってもよい。
【００３９】
また、最上段の脚４４の上部外側面に設けた止め具挿通穴４７を有する一対の取付片４８は、台枠２０の取付部３６に設けて、最上段の脚４４には設けないようにしてもよい。
【００４０】
また、最下段の脚４４の下端に設けられたキャスター４９は、ストッパー付きであってもよく、また、滑り止めパット５１は金属製、ゴム製等のいずれであってもよい。
【００４１】
取付部３９に取り付けられる伸縮可能な梯子５６は、図１７に例示されているように、図１４〜図１６に例示の伸縮可能な移動支持脚４２と略同様に、二段目の太いパイプ状の一対の縦桟５７と複数の横桟５８とで構成の中間梯子ユニット５９と、細いパイプ状の一対の縦桟６０と複数の横桟６１とで構成の上部梯子ユニット６２と下部梯子ユニット６３の三段構成であって、中間梯子ユニット５９から上下に上下部梯子ユニット６２、６３が上下に伸びて伸縮できる仕組みになっている。
【００４２】
なお、各梯子ユニット５９、６２、６３における各一対の縦桟５７、６０には、適宜の等間隔で複数の止め具挿通穴６４、６５が明けられており、これら穴６４、６５には移動支持脚４２の場合と同様に、穴番号（図示しない。）が表示されている。
【００４３】
最上段の梯子ユニット６２における一対の縦桟５７の上部外側面には、上方にやや延び、かつ止め具挿通穴６６を有する一対の取付片６７が突設され、また、最下段の梯子ユニット６３における一対の縦桟６０の下端にはジャッキ式の滑り止めパット６８が設けられている。
【００４４】
そして、梯子５６は、その最上段梯子ユニット６２における一対の縦桟５７の取付片６７が台枠２０における取付部３９に外挿されて、穴３８、６６との適合穴に挿通のボルト、ワッシャー、ナットからなる止め金具５２（図１７において単に略図的に鎖線であらわしてある。）により揺動可能に取り付けられる。
【００４５】
なお、梯子ユニットは、三段構成とされているが、これに限定されず、少なくとも二段以上の複数段構成であってもよいことは勿論である。
【００４６】
また、各梯子ユニット６２、６３の構成部材は、ハイプ状であれば、断面円形であってもよく、また、角形であってもよい。
【００４７】
また、最上段の梯子ユニット６２の上部外側面に設けた止め具挿通穴６６を有する一対の取付片６７は、台枠２０の取付部３９に設けて、最上段の梯子ユニット６２には設けないようにしてもよい。
【００４８】
台枠２０における基枠２２の一対の取付部４１に、それぞれ伸縮可能な補強支持脚６９は、図１８に例示されているように、三段構成になっており、二段目の太いパイプ状の脚７０から上下にそれぞれ細いパイプ状の脚７１が上下に伸びて伸縮できる仕組みになっている。
【００４９】
三段の脚７０、７１には、それぞれ適宜の等間隔で複数の止め具挿通穴７２、７３が明けられ、かつ外面には穴番号（図示しない。）が表されている。
【００５０】
最上段の脚７１の上部外側面には、上方にやや延び、かつ止め具挿通穴７４を有する一対の取付片７５が突設され、また、最下段の脚７１の下端にはジャッキ式の滑り止めパット７６が設けられている。
【００５１】
そして、補強支持脚６９は、その最上の脚７１の取付片７５が台枠２０における基枠２２の取付部４１に外挿されて、穴４０、７４との適合穴に挿通のボルト、ワッシャー、ナットからなる止め金具５２（図１８において単に略図的に鎖線であらわしてある。）により略垂直、または揺動可能に取り付けられる。
【００５２】
なお、補強支持脚６９は、三段構成とされているが、これに限定されず、少なくとも二段以上の複数段構成であってもよいことは勿論である。
【００５３】
また、補強支持脚６９の構成部材は、ハイプ状であれば、断面円形であってもよく、また、角形であってもよい。
【００５４】
また、最上段の脚７１の上部外側面に設けた止め具挿通穴７４を有する一対の取付片７５は、台枠２０の取付部４１に設けて、最上段の脚７１には設けないようにしてもよい。
【００５５】
また、補強支持脚６９は、左右一対の２本設けられているが、その数については特に限定されるものではない。
【００５６】
また、補強支持脚６９は、伸縮可能な梯子５６の取り付けによって補強機能が得られれば、必ずしも必要ではない。
【００５７】
また、補強機能は、補強支持脚６９に替え、特に図示しないが、２本一対の移動支持脚４２間に、取り外し可能な補強横材を設けるようにしてもよい。
【００５８】
次に使用方法について説明する。
【００５９】
前述のように構成された作業台１、台枠２０、移動支持脚４２、梯子５６および補強支持脚６９は、それぞれ分解状態で車両等によりアスベストの処理現場に搬送され、組み立てられて使用される。
【００６０】
基枠２２に、それぞれ回動金具２５を介して内向水平な倒伏状態に畳まれている長短４枚の載置支持用枠板２６、２７を外側に起こして起立状態とし、それぞれの隣り合う載置支持用枠板２６、２７同士を、その四つの当接隅部の外側面において、載置支持用枠板２６、２７に突設のピン３３にＬ形止め金具３４のＵ溝３５を係合させて固定的に止め、台枠２０を組み立て、これに作業台１を載置して両者を組み付ける。  
【００６１】
移動支持脚４２の全長は、作業天井等の高さに対応して設定され、太いパイプ状の脚４３の上下に、細いパイプ状の脚４をそれぞれの穴番号４６を合わせ挿入して、それぞれの穴４５との適合穴に挿通の止め金具５２によって同軸状に連結し、所定長さの移動支持脚４２として組み立てる。
【００６２】
梯子５６は、梯子ユニット５９、６２、６３をそれぞれ止め金具５２によって連結して、所定長さの梯子５６として組み立てる。
【００６３】
また、補強支持脚６９も、移動支持脚４２の場合と同様に、太いパイプ状の脚７０の上下に、細いパイプ状の脚７１をそれぞれの穴番号を合わせ挿入して、それぞれの穴７２、７３との適合穴に挿通の止め金具５２によって同軸状に連結し、所定長さの補強支持脚６９として組み立てる。
【００６４】
このようにして、各構成部材を組み立て、４本の移動支持脚４２を台枠２０のそれぞれの取付部３７に止め金具５２によって揺動可能に取り付け、梯子５６を台枠２０の取付部３９に止め金具５２によって揺動可能に取り付け、さらに補強支持脚６９を台枠２０の取付部４１に止め金具５２によって揺動可能に取り付け、本作業台を組み立てる。
【００６５】
組み立てた作業台は、キャスター４９によって所定の作業場所まで移動させて、滑り止めパット５１等により固定的にセットし、作業台１上において目的とする作業を行う。
【００６６】
作業を終えて本作業台を分解する場合には、組み立て時とは逆の操作によって作業台１、台枠２０、移動支持脚４２、梯子５６および補強支持脚６９のそれぞれに取り外して分解し、さらに台枠２０における４枚の載置支持用枠板２６、２７の止めを外して、それぞれを内向水平な倒伏状態に畳み、また、必要に応じて移動支持脚４２を各脚４３、４４に分解し、梯子５６も各梯子ユニット５９、６２、６３に分解し、また、補強支持脚６９も各脚７０、７１に分解し、コンパクト化した組立て構成部材として搬送や保管を行う。
【図面の簡単な説明】
【００６７】
【図１】本発明に係る組立移動式の高所用作業台の一例を示す略全体の線図的構成図である。
【図２】図１の２方向から見た線図的構成図である。
【図３】図１の３方向から見た線図的構成図である。
【図４】作業台の平面図である。
【図５】図４の５−５に沿った一部省略の部分拡大断面図である。
【図６】図４の６−６に沿った部分拡大断面図である。
【図７】台枠を構成する基枠の平面図である。
【図８】図７の側面図である。
【図９】載置支持用枠板の起立状態を示す一部省略の拡大断面図である。
【図１０】載置支持用枠板の揺動を司る回動金具の一例を示す展開平面図である。
【図１１】載置支持揺枠板同士を止める止め金具の一例を示す展開平面図である。
【図１２】止め金具による載置支持用枠板の止め状態を示す側面図である。
【図１３】止め金具の拡大横断面図である。
【図１４】移動支持脚の一例を示す一部を省略し、かつ分解状態での正面図である。
【図１５】図１４の部分側面図である。
【図１６】移動支持脚を構成する脚同志の連結状態を示す一部省略の縦断面図である。
【図１７】伸縮梯子の一例を示す一部省略の正面図である。
【図１８】補強支持脚の一例を示す一部省略の正面図である。
【符号の説明】
【００６８】
１    作業台
２    台板
６    開口部
８    開閉金具
１０    開閉蓋
２０    台枠
２２    基枠
２３、２４    枠板
２５    回動金具
２６、２７    載置支持用枠板
３６、３９、４１    取付部
４２    移動支持脚
４３、４４    脚
４９    キャスター
５６    伸縮梯子
５９、６２、６３    梯子ユニット
６９    補強支持脚
【図１】
2008180034.tif 000003
【図２】
2008180034.tif 000004
【図３】
2008180034.tif 000005
【図４】
2008180034.tif 000006
【図５】
2008180034.tif 000007
【図６】
2008180034.tif 000008
【図７】
2008180034.tif 000009
【図８】
2008180034.tif 000010
【図９】
2008180034.tif 000011
【図１０】
2008180034.tif 000012
【図１１】
2008180034.tif 000013
【図１２】
2008180034.tif 000014
【図１３】
2008180034.tif 000015
【図１４】
2008180034.tif 000016
【図１５】
2008180034.tif 000017
【図１６】
2008180034.tif 000018
【図１７】
2008180034.tif 000019
【図１８】
2008180034.tif 000020
【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
室内天井等に施工されているアスベストの除去作業等の高所作業に用いられる組立て移動式の作業台であって、
作業者と作業具等が乗る作業台（１）と、
この作業台（１）を載置支持する台枠（２０）と、
この台枠（２０）の四隅に、それぞれ揺動可能にして、かつ伸縮可能に設けられる移動支持脚（４２）と、
前記台枠（２０）に設けられる伸縮可能な梯子（５６）
を備え、  
前記作業台（１）は、前記作業具等を出し入れするための、開閉蓋（１０）付きの開口部（６）を有し、
前記台枠（２０）は、基枠（２２）と、この基枠（２２）の４枚の枠板（２３）、（２４）の内側面に、それぞれ回動金具（２５）を介して内向水平な倒伏状態にして、かつ略垂直な起立状態になるように揺動可能に設けられ、前記作業台（１）が載置されて定置支持される４枚の載置支持用枠板（２６）、（２７）と、前記基枠（２２）の四隅部下方にそれぞれ突設された前記移動支持脚（４２）の取付部（３６）と、前記基枠（２２）の前記枠板（２３）、（２４）のいずれか一方の相対する枠板の内側面下方にそれぞれ突設された前記梯子（５６）の取付部（３９）を有し、
前記伸縮可能な移動支持脚（４２）は、太いパイプ状の脚（４３）と細いパイプ状の脚（４４）を含む複数段の構成であって、上下の前記細い脚（４４）が上下に伸縮可能な仕組みとなっており、最下段の脚下端には、移動用のキャスター（４９）が設けられ、
前記伸縮可能な梯子（５６）は、一対の縦桟とこの縦桟間に設けられた複数の横桟から構成の複数の梯子ユニット（５９）、（６２）、（６３）が上下に伸びて伸縮可能となっている構成を特徴とする組立移動式の高所用作業台。
【請求項２】
室内天井等に施工されているアスベストの除去作業等の高所作業に用いられる組立て移動式の作業台であって、
作業者と作業具等が乗る作業台（１）と、
この作業台（１）を載置支持する台枠（２０）と、
この台枠（２０）の四隅に、それぞれ揺動可能にして、かつ伸縮可能に設けられる移動支持脚（４２）と、
前記台枠（２０）に設けられる伸縮可能な梯子（５６）および補強支持脚（６９）
を備え、
前記作業台（１）は、前記作業具等を出し入れするための、開閉蓋（１０）付きの開口部（６）を有し、
前記台枠（２０）は、基枠（２２）と、この基枠（２２）の４枚の枠板（２３）、（２４）の内側面に、それぞれ回動金具（２５）を介して内向水平な倒伏状態にして、かつ略垂直な起立状態になるように揺動可能に設けられ、前記作業台（１）が載置されて定置支持される４枚の載置支持用枠板（２６）、（２７）と、前記基枠（２２）の四隅部下方にそれぞれ突設された前記移動支持脚（４２）の取付部（３６）と、前記基枠（２２）の前記枠板（２３）、（２４）のいずれか一方の相対する枠板の内側面下方にそれぞれ突設された前記梯子（５６）の取付部（３９）および前記補強支持脚（６９）の取付部（４１）を有し、
前記伸縮可能な移動支持脚（４２）は、太いパイプ状の脚（４３）と細いパイプ状の脚（４４）を含む複数段の構成であって、上下の前記細い脚（４４）が上下に伸縮可能な仕組みとなっており、最下段の脚下端には、移動用のキャスター（４９）が設けられ、
前記伸縮可能な梯子（５６）は、一対の縦桟とこの縦桟間に設けられた複数の横桟から構成の複数の梯子ユニット（５９）、（６２）、（６３）が上下に伸びて伸縮可能となっており、
前記伸縮可能な補強支持脚（６９）は、太いパイプ状の脚（７０）と細いパイプ状の脚（７１）を含む複数段の構成であって、上下の前記細い脚（７１）が上下に伸縮可能な仕組みとなっており、最下段の脚下端には、滑り止めパット（７６）が設けられている構成を特徴とする組立移動式の高所用作業台。
【手続補正２】
【補正対象書類名】明細書
【補正対象項目名】００１５
【補正方法】変更
【補正の内容】
【００１５】
この目的のため、本発明の請求項１に記載の組立移動式の高所用作業台は、室内天井等に施工されているアスベストの除去作業等の高所作業に用いられる組立て移動式の作業台であって、
作業者と作業具等が乗る作業台１と、
この作業台１を載置支持する台枠２０と、
この台枠２０の四隅に、それぞれ揺動可能にして、かつ伸縮可能に設けられる移動支持脚４２と、
前記台枠２０に設けられる伸縮可能な梯子５６
を備え、  
前記作業台１は、前記作業具等を出し入れするための、開閉蓋１０付きの開口部６を有し、
前記台枠２０は、基枠２２と、この基枠２２の４枚の枠板２３、２４の内側面に、それぞれ回動金具２５を介して内向水平な倒伏状態にして、かつ略垂直な起立状態になるように揺動可能に設けられ、前記作業台１が載置されて定置支持される４枚の載置支持用枠板２６、２７と、前記基枠２２の四隅部下方にそれぞれ突設された前記移動支持脚４２の取付部３６と、前記基枠２２の前記枠板２３、２４のいずれか一方の相対する枠板の内側面下方にそれぞれ突設された前記梯子５６の取付部３９を有し、
前記伸縮可能な移動支持脚４２は、太いパイプ状の脚４３と細いパイプ状の脚４４を含む複数段の構成であって、上下の前記細い脚４４が上下に伸縮可能な仕組みとなっており、最下段の脚下端には、移動用のキャスター４９が設けられ、
前記伸縮可能な梯子５６は、一対の縦桟とこの縦桟間に設けられた複数の横桟から構成の複数の梯子ユニット５９、６２、６３が上下に伸びて伸縮可能となっている構成を特徴とするものである。
【手続補正３】
【補正対象書類名】明細書
【補正対象項目名】００１６
【補正方法】変更
【補正の内容】
【００１６】
本発明の請求項２に記載の組立移動式の高所用作業台は、室内天井等に施工されているアスベストの除去作業等の高所作業に用いられる組立て移動式の作業台であって、
作業者と作業具等が乗る作業台１と、
この作業台１を載置支持する台枠２０と、
この台枠２０の四隅に、それぞれ揺動可能にして、かつ伸縮可能に設けられる移動支持脚４２と、
前記台枠２０に設けられる伸縮可能な梯子５６および補強支持脚６９
を備え、
前記作業台１は、前記作業具等を出し入れするための、開閉蓋１０付きの開口部６を有し、
前記台枠２０は、基枠２２と、この基枠２２の４枚の枠板２３、２４の内側面に、それぞれ回動金具２５を介して内向水平な倒伏状態にして、かつ略垂直な起立状態になるように揺動可能に設けられ、前記作業台１が載置されて定置支持される４枚の載置支持用枠板２６、２７と、前記基枠２２の四隅部下方にそれぞれ突設された前記移動支持脚４２の取付部３６と、前記基枠２２の前記枠板２３、２４のいずれか一方の相対する枠板の内側面下方にそれぞれ突設された前記梯子５６の取付部３９および前記補強支持脚６９の取付部４１を有し、
前記伸縮可能な移動支持脚４２は、太いパイプ状の脚４３と細いパイプ状の脚４４を含む複数段の構成であって、上下の前記細い脚４４が上下に伸縮可能な仕組みとなっており、最下段の脚下端には、移動用のキャスター４９が設けられ、
前記伸縮可能な梯子５６は、一対の縦桟とこの縦桟間に設けられた複数の横桟から構成の複数の梯子ユニット５９、６２、６３が上下に伸びて伸縮可能となっており、
前記伸縮可能な補強支持脚６９は、太いパイプ状の脚７０と細いパイプ状の脚７１を含む複数段の構成であって、上下の前記細い脚７１が上下に伸縮可能な仕組みとなっており、最下段の脚下端には、滑り止めパット７６が設けられている構成を特徴とするものである。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
請求項１および２に記載の発明によれば、高所用作業台を構成する各部材は、分解・組立式であるから、従来のように作業現場での足場の組立てを必要とせず、分解状態で作業現場に車両等で搬入し、現場で組立てて使用されるものであるから、各構成部材は軽量となって搬入等の取り扱いにおいて容易である。